(57)【要約】      （修正有） 【課題】消しゴムブロック体全体として使用した場合であっても、また、個別の消しゴムブロック体として使用した場合であっても、細かい文字及び大きな図形等を消すことができると共に、使用により突起部が摩耗した場合であっても、なお、消しゴムブロック体を構成することができるブロック状消しゴムを提供する。【解決手段】消しゴムブロック体は、側面略細長六角形状の基部と、上記基部の幅方向反対側に形成された略正四角錐状の中央部と、上記中央部の両側に形成され、上記中央部と同一側に突設配置された三角柱状の凸部とを備え、上記基部は互いに直角をなす２つの台形状側面部を有し、上記中央部の斜面部と凸部の内側斜面部との間は直角であると共に上記基部の側面部と上記中央部の斜面部との間は直角に形成され、幅寸法は長さ寸法の略半分であって、上記凸部の内側斜面部の高さ寸法は上記基部の上記台形状側面部の幅寸法と略同一に形成されている。  【選択図】図１
0003173418.tif 000002
【実用新案登録請求の範囲】
【請求項１】
複数の消しゴムブロック体を組み合わせて構成するブロック状消しゴムであって、
上記消しゴムブロック体は、側面略細長六角形状の基部と、上記基部の幅方向反対側に形成された略正四角錐状の中央部と、上記中央部の両側に形成され、上記中央部と同一側に突設配置された三角柱状の凸部とを備え、
上記基部は互いに直角をなす２つの台形状側面部を有し、上記中央部の斜面部と凸部の内側斜面部との間は直角であると共に上記基部の側面部と上記中央部の斜面部との間は直角に形成され、
幅寸法は長さ寸法の半分であって、上記凸部の内側斜面部の高さ寸法は上記基部の上記台形状側面部の幅寸法と同一に形成されていることを特徴とするブロック状消しゴム。  
【請求項２】
上記凸部の内側斜面部は正三角形に形成されていることを特徴とする請求項１記載のブロック状消しゴム。
【請求項３】
上記中央部の底片部は幅方向反対側において隣接する上記基部を構成する台形状側面部の上片部により形成されていることを特徴とする請求項２記載のブロック状消しゴム。
【請求項４】
上記基部の台形状側面部の上片部は底片部の１／２に形成されていることを特徴とする請求項３記載のブロック状消しゴム。
【請求項５】
上記中央部の斜面部は４５度の角度で形成されていることを特徴とする請求項４記載のブロック状消しゴム。
【請求項６】
上記中央部の頂部は切り欠かれていることを特徴とする請求項５記載のブロック状消しゴム。
【考案の詳細な説明】
【技術分野】
【０００１】
本考案は、消しゴムに係り、特に、ブロック状に形成された消しゴムに関する。
【背景技術】
【０００２】
従来より、複数の消しゴムブロック体を組み合わせて所定形状のブロック状消しゴムを構成する技術が提案されていた（特許文献１）。
このようなブロック状消しゴムは、単一の突起を有すると共に、上記突起が係合しうる凹部を有する球状の消しゴムブロック体を複数連設することにより、所定形状のブロック状消しゴムを構成することができる。
【０００３】
このような従来のブロック状消しゴムは、使用者である児童等が各ブロック体を組み合わせて消しゴムブロック体を構成することができる、という玩具的要素があり、組み立てる過程及び組み立てたブロック状消しゴムを使用する際に趣向に富む、という特徴がある。
【考案の開示】
【考案が解決しようとする課題】
【０００４】
しかしながら、このような従来のブロック状消しゴムにあっては、消しゴムブロック体を複数連設した場合には球が複数連設された形状となり、全体として消しゴムとして使用する場合に非常に使用しにくい、という不具合があった。
【０００５】
また、夫々の消しゴムブロック体を取り外し、個別に消しゴムとして使用する場合にあっては、細かい文字等を消去する場合には上記突起を使用するが、この突起を使用し続けた場合には、突起が摩耗して係合部として使用することができなくなり、消しゴムブロック体を形成することが不可能になる場合がある、という不具合があった。
【０００６】
また、全体としての消しゴムブロック体を形成する場合にも、一の消しゴムブロック体の突起を他の消しゴムブロック体の凹部に係合させるのみでよく、組み立ての際の趣向も大きなものではなかった。
【特許文献１】特開２００６−２６４１４１号
【０００７】
本考案はこのような従来からの不具合を解決するためのものであって、その課題は、消しゴムブロック体全体として使用した場合であっても、また、個別の消しゴムブロック体として使用した場合であっても、細かい文字及び大きな図形等を消すことができると共に、使用により突起部が摩耗した場合であっても、なお、消しゴムブロック体を構成することができ、長時間に亘り消しゴムブロック体としての使用が可能となり、さらに、ブロック状消しゴムを構成する際に工夫が必要なより趣向に富むブロック状消しゴムを提供することにある。
【課題を解決するための手段】
【０００８】
上記課題達成のため、請求項１記載の考案にあっては、複数の消しゴムブロック体を組み合わせて構成するブロック状消しゴムであって、上記消しゴムブロック体は、側面略細長六角形状の基部と、上記基部の幅方向反対側に形成された略正四角錐状の中央部と、上記中央部の両側に形成され、上記中央部と同一側に突設配置された三角柱状の凸部とを備え、  上記基部は互いに直角をなす２つの台形状側面部を有し、上記中央部の斜面部と凸部の内側斜面部との間は直角であると共に上記基部の側面部と上記中央部の斜面部との間は直角に形成され、幅寸法は長さ寸法の略半分であって、上記凸部の内側斜面部の高さ寸法は上記基部の上記台形状側面部の幅寸法と略同一に形成されていることを特徴とする。
【０００９】
従って、請求項１記載の考案にあっては、一の消しゴムブロック体の中央部の一方の斜面部と一方の凸部の内側斜面部との間の空隙部に他の消しゴムブロック体の中央部及び基部を挿入配置し、また、上記中央部の他方の斜面部と他方の凸部の内側斜面部との間に、さらに他の消しゴムブロック体の中央部及び基部を挿入配置することにより、消しゴムブロック体を連設させていき、ブロック状消しゴムを形成することができる。
【００１０】
請求項２記載の考案にあっては、上記凸部の内側斜面部の高さ寸法は上記基部の台形状側面部の幅寸法と略同一に形成されていることを特徴とする。
従って、一の消しゴムブロック体を他の消しゴムブロック体に接合させた場合には、凸部の先端部は上記基部の上記台形側面部の底片部に配置される。
【００１１】
請求項３記載の考案にあっては、上記凸部の内側斜面部は正三角形に形成されていることを特徴とする。
従って、請求項３記載の考案にあっては、一の消しゴムブロック体を他の消しゴムブロック体に接合させた場合には、上記凸部は上記基部上において側方三角形状に配置される。
【００１２】
請求項４記載の考案にあっては、上記中央部の底片部は幅方向反対側において隣接する上記基部を構成する台形状側面部の上片部により形成されていることを特徴とする。
【００１３】
請求項５記載の考案にあっては、上記基部の台形状側面部の上片部は底片部の１／２に形成されていることを特徴とする。
【００１４】
請求項６記載の考案にあっては、上記中央部の斜面部は４５度の角度で形成されていることを特徴とする。
【００１５】
請求項７記載の考案にあっては、上記中央部の頂部は切り欠かれていることを特徴とする。
【考案の効果】
【００１６】
請求項１〜７記載の考案にあっては、上記のように、一の消しゴムブロック体の中央部の一方の斜面部と一方の凸部の内側斜面部との間の空隙部に他の消しゴムブロック体の中央部及び基部を挿入配置し、また、上記中央部の他方の斜面部と他方の凸部の内側斜面部との間に、さらに他の消しゴムブロック体の中央部及び基部を挿入配置することにより、消しゴムブロック体を連設させていき、ブロック状消しゴムを形成することができる。
【００１７】
その結果、本考案にあっては、６個の消しゴムブロック体を互いに組み合わせることにより１２の凸部を有し、平面ひし形状の突出部を有するブロック状消しゴムを組み立て形成することができる。
従って、本考案にあっては、消しゴムブロック体全体として使用した場合には、上記凸部を利用して細かい文字を消すことができると共に、大きな文字等を消すこともできる。
【００１８】
また、消しゴムブロック体として使用した場合には、上記凸部を利用することにより細かい文字を消すことができると共に、基部を利用して大きな文字を消すこともできる。
【００１９】
さらに、従来とは異なり、凸部を利用して係合させるようには構成されていないことから、使用により突起部が摩耗した場合であっても、なお、消しゴムブロック体を構成することができ、長時間に亘り消しゴムブロック体としての使用が可能となり、さらに、ブロック状消しゴムを構成する際に工夫が必要なより趣向に富むブロック状消しゴムを提供することができる。
【図面の簡単な説明】
【００２０】
【図１】本考案に係るブロック状消しゴムの一実施の形態を示す斜視図である。
【図２】同様に本考案に係るブロック状消しゴムの一実施の形態を示す斜視図である。
【図３】本考案に係るブロック状消しゴムに使用される消しゴムブロック体の一実施の形態を示す斜視図である。
【図４】本考案に係るブロック状消しゴムに使用される消しゴムブロック体の一実施の形態を示す背面図である。
【図５】本考案に係るブロック状消しゴムに使用される消しゴムブロック体の一実施の形態を示す長さ方向側面図である。
【図６】本考案に係るブロック状消しゴムに使用される消しゴムブロック体の一実施の形態を示す背面斜視図である。
【図７】本考案に係るブロック状消しゴムに使用される消しゴムブロック体の一実施の形態を示す平面図である。
【図８】本考案に係るブロック状消しゴムに使用される消しゴムブロック体を使用してブロック状消しゴムを形成する場合を示し、２個の消しゴムブロック体を接合させた場合を示す斜視図である。
【図９】本考案に係るブロック状消しゴムに使用される消しゴムブロック体を使用してブロック状消しゴムを形成する場合を示し、４個の消しゴムブロック体を接合させた場合を示す斜視図である。
【図１０】本考案に係るブロック状消しゴムに使用される消しゴムブロック体を使用してブロック状消しゴムを形成する場合を示し、５個の消しゴムブロック体を接合させた場合を示す斜視図である。
【考案を実施するための最良の形態】
【００２１】
以下、添付図面に示す実施の形態に基づき、本考案を詳細に説明する。
図１に示すように、本実施の形態に係るブロック状消しゴムを詳細に説明する。
本実施の形態に係るブロック状消しゴム１０は、図１及び図２に示すように、１２個の凸部１１を有すると共に平面ひし形状の突出部１２を有し、全体略星型に形成されている。
【００２２】
本実施の形態に係るブロック状消しゴム１０は、６個の消しゴムブロック体１３により構成されている。
上記各消しゴムブロック体１３は、図３〜図７に示すように、側面略細長六角形状の基部１４と、上記基部１４の幅方向反対側において長さ方向中央に形成された略正四角錐状の中央部１５と、上記中央部１５の長さ方向両側に形成され、上記中央部と同一側に突設配置された三角柱状の凸部１６、１６とを備えている。
【００２３】
図４に示すように、上記基部１４は互いに直角をなす２つの細長台形状側面部１７、１７を有し、図３に示すように、上記中央部１５の斜面部１９と凸部１６の内側斜面部１８との間は直角であると共に上記基部１４の台形状側面部１７と上記中央部１５の斜面部１９との間は直角に形成されている。
【００２４】
図４に示すように、消しゴムブロック体１３の幅寸法Ｌは長さ寸法Ｌ１の半分であって、上記凸部１６の内側斜面部１８の高さ寸法Ｌ３は上記基部１４の上記台形状側面部１７の幅寸法Ｌ２と同一に形成されている。  
【００２５】
上記凸部１６の内側斜面部１８は正三角形に形成されている。また、上記中央部１５の底片部２０は幅方向反対側において隣接する上記基部１４を構成する台形状側面部１７の上片部２１により形成されている。
【００２６】
上記基部１４の台形状側面部１７の上片部２１は底片部２２の１／２に形成されている。上記中央部１５の斜面部１９は４５度の角度で形成されている。上記中央部１５の頂部は切り欠かれて孔部２３が形成されている。
【００２７】
以下、本実施の形態に係るブロック状消しゴム１０の組み立て方について説明する。
図３及び図８に示すように、まず、一の消しゴムブロック体１３ａの中央部１５の内方斜面部１９ａと凸部１６との間の空隙Ｅへ、他の消しゴムブロック体１３ｂの中央部１５の側方斜面部１９ｂと基部１４の一方の台形状側面部１７とを、互いに直角に交差するように挿入させ、上記内方斜面部１９ａと上記外方斜面部１９ｂとが当接すると共に上記凸部１６の内側斜面部１８に基部１４の台形状側面部１７が当接するように配置する。
【００２８】
次に、図８及び図９に示すように、交差状に配置された消しゴムブロック体１３ａ、１３ｂの、２つの互いに隣接する中央部１５、１５の、夫々の側方斜面部１９ｂ、１９ｂの間の空隙Ａ、Ｂに、他の消しゴムブロック体１３ｃ及び１３ｄを、一の消しゴムブロック体１３ａに対して交差するように配置する。
【００２９】
次に、図９に示す消しゴムブロック体１３ｃ及び消しゴムブロック体１３ｄの間の空隙Ｃに、図１０に示すように、消しゴムブロック体１３ｂに対して平行に他の消しゴムブロック体１３ｅを同様の要領で配置する。
【００３０】
最後に、図１０に示す消しゴムブロック体１３ｃ及び消しゴムブロック体１３ｄの間に形成される空隙Ｄ内に、消しゴムブロック体１３Ｄの凸部１６ｄ及び消しゴムブロック体１３Ｃの凸部１６Ｃをやや撓ませつつ、最後の６個目の消しゴムブロック体１３を挿入配置することにより、図１及び図２に示すブロック状消しゴム１０が完成する。
【００３１】
その結果、使用者は各消しゴムブロック体１３を使用してブロック状消しゴム１０を作成する興趣を楽しむことができる。
【００３２】
このようにして完成したブロック状消しゴム１０は、全体として６個の消しゴムブロック体１３により構成され、各消しゴムブロック体１３の有する２個の凸部１６が、全体として１２個の突出部１２を形成し、その先端には、夫々直角の凸部１１が形成されている。
【００３３】
従って、ブロック状消しゴム１０全体を使用して微細な文字等を消す場合には、ブロック状消しゴム１０を指で把持した状態で上記複数の突部１１を使用して消すことができる。
【００３４】
また、図２に示すように、本実施の形態に係るブロック状消しゴム１０にあっては、基部１４を形成する台形状側面部１７、１７の底片部２２が互いに交差した状態で外方に突出して配置されることから、上記底片部２２を使って大きな図形等を消すこともできる。
【００３５】
さらに、上記ブロック状消しゴム１０を個別の消しゴムブロック体１３に分解した場合には、図３に示す個別の消しゴムブロック体１３の各凸部１６、１６の先端部２３、２３を使用して微細な文字を消すことができると共に、図４に示す基部１４の上記底片部２２を使用して大きな図形等を消すこともできる。
なお、本実施の形態にあっては、６個の消しゴムブロック体１３を使用して一体のブロック状消しゴム１０を形成する場合を例に説明したが、上記実施の形態に限定されず、構成する消しゴムブロック体１３の数は６個以上でもよい。
また、消しゴムブロック体１３の具体的形状については本実施の形態に限定されない。
【産業上の利用可能性】
【００３６】
本考案は広くブロック状消しゴムに適用することができる。
【符号の説明】
【００３７】
１０  ブロック状消しゴム
１１  凸部
１２  突出部
１３  消しゴムブロック体
１４  基部
１５  中央部
１６  凸部
１７  台形状側面部
１８  内側斜面部
１９  斜面部
１９ａ  内方斜面部
１９ｂ  外方斜面部
２０  底片部
２１  上片部
２２  底片部
２３  孔部
Ｌ      消しゴムブロック体の幅寸法
Ｌ１    消しゴムブロック体の長さ寸法
Ｌ２    台形状側面部の幅寸法
Ｌ３    内側斜面部の高さ寸法
Ａ      消しゴムブロック体を組み合わせた場合の、互いに隣接する中央部の
夫々の側方斜面部の間の空隙
Ｂ      消しゴムブロック体を組み合わせた場合の、互いに隣接する中央部の
夫々の側方斜面部の間の空隙
Ｃ      消しゴムブロック体と消しゴムブロック体の間の空隙  
Ｄ      消しゴムブロック体と消しゴムブロック体の間の空隙
Ｅ      一の消しゴムブロック体の中央部の内方斜面部と凸部との間の空隙
【図１】
0003173418.tif 000003
【図２】
0003173418.tif 000004
【図３】
0003173418.tif 000005
【図４】
0003173418.tif 000006
【図５】
0003173418.tif 000007
【図６】
0003173418.tif 000008
【図７】
0003173418.tif 000009
【図８】
0003173418.tif 000010
【図９】
0003173418.tif 000011
【図１０】
0003173418.tif 000012
【手続補正書】
【提出日】平成23年9月13日(2011.9.13)
【手続補正１】
【補正対象書類名】実用新案登録請求の範囲
【補正対象項目名】全文
【補正方法】変更
【補正の内容】
【実用新案登録請求の範囲】
【請求項１】
複数の消しゴムブロック体を組み合わせて構成するブロック状消しゴムであって、
上記消しゴムブロック体は、略細長六角形状の底部を有する基部と、上記基部に形成された略正四角錐状の中央部と、上記中央部の両側に突設された三角錐状の凸部とを備え、
上記基部は、互いに直角をなす２つの台形状底面部を有し、上記中央部の斜面部と上記凸部の内側斜面部との間は直角であると共に上記基部の底面部と上記中央部の斜面部との間は直角に形成され、
上記基部の幅寸法は上記基部の長さ寸法の半分であって、上記凸部の内側斜面部の長さ寸法は上記基部の上記台形状側面部の幅寸法と同一に形成されていることを特徴とするブロック状消しゴム。  
【請求項２】
上記凸部の内側斜面部は正三角形に形成されていることを特徴とする請求項１記載のブロック状消しゴム。
【請求項３】
上記中央部の底辺部は幅方向反対側において隣接する上記基部を構成する台形状側底面部の上辺部により形成されていることを特徴とする請求項２記載のブロック状消しゴム。
【請求項４】
上記基部の台形状底面部の上辺部の長さ寸法は底辺部の長さ寸法の１／２に形成されていることを特徴とする請求項３記載のブロック状消しゴム。
【請求項５】
上記中央部の斜面部は、上記凸部の内側斜面部及び上記台形状底面部との間で直角を形成するように設けられていることを特徴とする請求項４記載のブロック状消しゴム。
【請求項６】
上記中央部の頂部は切り欠かれていることを特徴とする請求項５記載のブロック状消しゴム。
【手続補正２】
【補正対象書類名】明細書
【補正対象項目名】全文
【補正方法】変更
【補正の内容】
【考案の詳細な説明】
【技術分野】
【０００１】
本考案は、消しゴムに係り、特に、ブロック状に形成された消しゴムに関する。
【背景技術】
【０００２】
従来より、複数の消しゴムブロック体を組み合わせて所定形状のブロック状消しゴムを構成する技術が提案されていた（特許文献１）。
このようなブロック状消しゴムは、単一の突起を有すると共に、上記突起が係合しうる凹部を有する球状の消しゴムブロック体を複数連設することにより、所定形状のブロック状消しゴムを構成することができる。
【０００３】
このような従来のブロック状消しゴムは、使用者である児童等が各ブロック体を組み合わせて消しゴムブロック体を構成することができる、という玩具的要素があり、組み立てる過程及び組み立てたブロック状消しゴムを使用する際に趣向に富む、という特徴がある。
【考案の開示】
【考案が解決しようとする課題】
【０００４】
しかしながら、このような従来のブロック状消しゴムにあっては、消しゴムブロック体を複数連設した場合には球が複数連設された形状となり、全体として消しゴムとして使用する場合に非常に使用しにくい、という不具合があった。
【０００５】
また、夫々の消しゴムブロック体を取り外し、個別に消しゴムとして使用する場合にあっては、細かい文字等を消去する場合には上記突起を使用するが、この突起を使用し続けた場合には、突起が摩耗して係合部として使用することができなくなり、消しゴムブロック体を形成することが不可能になる場合がある、という不具合があった。
【０００６】
また、全体としての消しゴムブロック体を形成する場合にも、一の消しゴムブロック体の突起を他の消しゴムブロック体の凹部に係合させるのみでよく、組み立ての際の趣向も大きなものではなかった。
【特許文献１】特開２００６−２６４１４１号
【０００７】
本考案はこのような従来からの不具合を解決するためのものであって、その課題は、消しゴムブロック体全体として使用した場合であっても、また、個別の消しゴムブロック体として使用した場合であっても、細かい文字及び大きな図形等を消すことができると共に、使用により突起部が摩耗した場合であっても、なお、消しゴムブロック体を構成することができ、長時間に亘り消しゴムブロック体としての使用が可能となり、さらに、ブロック状消しゴムを構成する際に工夫が必要なより趣向に富むブロック状消しゴムを提供する
ことにある。
【課題を解決するための手段】
【０００８】
上記課題達成のため、請求項１記載の考案にあっては、複数の消しゴムブロック体を組み合わせて構成するブロック状消しゴムであって、上記消しゴムブロック体は、略細長六角形状の底部を有する基部と、上記基部に形成された略正四角錐状の中央部と、上記中央部の両側に突設された三角錐状の凸部とを備え、上記基部は、互いに直角をなす２つの台形状底面部を有し、上記中央部の斜面部と上記凸部の内側斜面部との間は直角であると共に上記基部の底面部と上記中央部の斜面部との間は直角に形成され、上記基部の幅寸法は上記基部の長さ寸法の半分であって、上記凸部の内側斜面部の長さ寸法は上記基部の上記台形状側面部の幅寸法と同一に形成されていることを特徴とする。
【０００９】
従って、請求項１記載の考案にあっては、一の消しゴムブロック体の中央部の一方の斜面部と一方の凸部の内側斜面部との間の空隙部に他の消しゴムブロック体の中央部及び基部を挿入配置し、また、上記中央部の他方の斜面部と他方の凸部の内側斜面部との間に、さらに他の消しゴムブロック体の中央部及び基部を挿入配置することにより、消しゴムブロック体を連設させていき、ブロック状消しゴムを形成することができる。
【００１０】
請求項２記載の考案にあっては、上記凸部の内側斜面部は正三角形に形成されていることを特徴とする。従って、請求項３記載の考案にあっては、一の消しゴムブロック体を他の消しゴムブロック体に接合させた場合には、上記凸部は上記基部上において側方三角形状に配置される。
【００１１】
請求項３記載の考案にあっては、上記中央部の底辺部は幅方向反対側において隣接する上記基部を構成する台形状側面部の上辺部により形成されていることを特徴とする。
【００１２】
請求項４記載の考案にあっては、上記基部の台形状底面部の上辺部の長さ寸法は底辺部の長さ寸法の１／２に形成されていることを特徴とする。
【００１３】
請求項５記載の考案にあっては、上記中央部の斜面部は、上記凸部の内側斜面部及び上記台形状底面部との間で直角を形成するように設けられていることを特徴とする。
【００１４】
請求項６記載の考案にあっては、上記中央部の頂部は切り欠かれていることを特徴とする。
【考案の効果】
【００１５】
請求項１〜６記載の考案にあっては、上記のように、一の消しゴムブロック体の中央部の一方の斜面部と一方の凸部の内側斜面部との間の空隙部に他の消しゴムブロック体の中央部及び基部を挿入配置し、また、上記中央部の他方の斜面部と他方の凸部の内側斜面部との間に、さらに他の消しゴムブロック体の中央部及び基部を挿入配置することにより、消しゴムブロック体を連設させていき、ブロック状消しゴムを形成することができる。
【００１６】
その結果、本考案にあっては、６個の消しゴムブロック体を互いに組み合わせることにより１２の凸部を有し、平面ひし形状の突出部を有するブロック状消しゴムを組み立て形成することができる。
従って、本考案にあっては、消しゴムブロック体全体として使用した場合には、上記凸部を利用して細かい文字を消すことができると共に、大きな文字等を消すこともできる。
【００１７】
また、消しゴムブロック体として使用した場合には、上記凸部を利用することにより細かい文字を消すことができると共に、基部を利用して大きな文字を消すこともできる。
【００１８】
さらに、従来とは異なり、凸部を利用して係合させるようには構成されていないことから、使用により突起部が摩耗した場合であっても、なお、消しゴムブロック体を構成することができ、長時間に亘り消しゴムブロック体としての使用が可能となり、さらに、ブロック状消しゴムを構成する際に工夫が必要なより趣向に富むブロック状消しゴムを提供することができる。
【図面の簡単な説明】
【００１９】
【図１】本考案に係るブロック状消しゴムの一実施の形態を示す斜視図である。
【図２】同様に本考案に係るブロック状消しゴムの一実施の形態を示す斜視図である。
【図３】本考案に係るブロック状消しゴムに使用される消しゴムブロック体の一実施の形態を示す斜視図である。
【図４】本考案に係るブロック状消しゴムに使用される消しゴムブロック体の一実施の形態を示す背面図である。
【図５】本考案に係るブロック状消しゴムに使用される消しゴムブロック体の一実施の形態を示す長さ方向側面図である。
【図６】本考案に係るブロック状消しゴムに使用される消しゴムブロック体の一実施の形態を示す背面斜視図である。
【図７】本考案に係るブロック状消しゴムに使用される消しゴムブロック体の一実施の形態を示す平面図である。
【図８】本考案に係るブロック状消しゴムに使用される消しゴムブロック体を使用してブロック状消しゴムを形成する場合を示し、２個の消しゴムブロック体を接合させた場合を示す斜視図である。
【図９】本考案に係るブロック状消しゴムに使用される消しゴムブロック体を使用してブロック状消しゴムを形成する場合を示し、４個の消しゴムブロック体を接合させた場合を示す斜視図である。
【図１０】本考案に係るブロック状消しゴムに使用される消しゴムブロック体を使用してブロック状消しゴムを形成する場合を示し、５個の消しゴムブロック体を接合させた場合を示す斜視図である。
【考案を実施するための最良の形態】
【００２０】
以下、添付図面に示す実施の形態に基づき、本考案を詳細に説明する。
図１に示すように、本実施の形態に係るブロック状消しゴムを詳細に説明する。
【００２１】
本実施の形態に係るブロック状消しゴム１０は、図１及び図２に示すように、１２個の凸部１１を有すると共に平面ひし形状の突出部１２を有し、全体略星型に形成されている。
【００２２】
本実施の形態に係るブロック状消しゴム１０は、６個の消しゴムブロック体１３により構成されている。
上記各消しゴムブロック体１３は、図３〜図７に示すように、側面略細長六角形状の基部１４と、上記基部１４の幅方向反対側において長さ方向中央に形成された略正四角錐状の中央部１５と、上記中央部１５の長さ方向両側に形成され、上記中央部と同一側に突設配置された三角錐状の凸部１６、１６とを備えている。
【００２３】
図４に示すように、上記基部１４は互いに直角をなす２つの細長台形状側面部１７、１７を有し、図３に示すように、上記中央部１５の斜面部１９と凸部１６の内側斜面部１８との間は直角であると共に上記基部１４の台形状側面部１７と上記中央部１５の斜面部１９との間は直角に形成されている。
【００２４】
図４に示すように、消しゴムブロック体１３の基部１４の幅寸法Ｌは長さ寸法Ｌ１の半分であって、上記凸部１６の内側斜面部１８の長さ寸法Ｌ３は上記基部１４の上記台形状側面部１７の幅寸法Ｌ２と同一に形成されている。  
【００２５】
上記凸部１６の内側斜面部１８は正三角形に形成されている。また、上記中央部１５の底辺部２０は幅方向反対側において隣接する上記基部１４を構成する台形状側面部１７の上辺部２１により形成されている。
【００２６】
上記基部１４の台形状側面部１７の上辺部２１は底辺部２２の１／２に形成されている。上記中央部１５の斜面部１９、１９、１９、１９は上記凸部１６、１６の内側斜面部１８、１８及び上記台形状底面部１７、１７との間で直角を形成するように設けられている。また、上記中央部１５の頂部は切り欠かれて孔部２３が形成されている。
【００２７】
以下、本実施の形態に係るブロック状消しゴム１０の組み立て方について説明する。
図３及び図８に示すように、まず、一の消しゴムブロック体１３ａの中央部１５の内方斜面部１９ａと凸部１６との間の空隙Ｅへ、他の消しゴムブロック体１３ｂの中央部１５の側方斜面部１９ｂと基部１４の一方の台形状側面部１７とを、互いに直角に交差するように挿入させ、上記内方斜面部１９ａと上記外方斜面部１９ｂとが当接すると共に上記凸部１６の内側斜面部１８に基部１４の台形状側面部１７が当接するように配置する。
【００２８】
次に、図８及び図９に示すように、交差状に配置された消しゴムブロック体１３ａ、１３ｂの、２つの互いに隣接する中央部１５、１５の、夫々の側方斜面部１９ｂ、１９ｂの間の空隙Ａ、Ｂに、他の消しゴムブロック体１３ｃ及び１３ｄを、一の消しゴムブロック体１３ａに対して交差するように配置する。
【００２９】
次に、図９に示す消しゴムブロック体１３ｃ及び消しゴムブロック体１３ｄの間の空隙Ｃに、図１０に示すように、消しゴムブロック体１３ｂに対して平行に他の消しゴムブロック体１３ｅを同様の要領で配置する。
【００３０】
最後に、図１０に示す消しゴムブロック体１３ｃ及び消しゴムブロック体１３ｄの間に形成される空隙Ｄ内に、消しゴムブロック体１３Ｄの凸部１６ｄ及び消しゴムブロック体１３Ｃの凸部１６Ｃをやや撓ませつつ、最後の６個目の消しゴムブロック体１３を挿入配置することにより、図１及び図２に示すブロック状消しゴム１０が完成する。
【００３１】
その結果、使用者は各消しゴムブロック体１３を使用してブロック状消しゴム１０を作成する興趣を楽しむことができる。
【００３２】
このようにして完成したブロック状消しゴム１０は、全体として６個の消しゴムブロック体１３により構成され、各消しゴムブロック体１３の有する２個の凸部１６が、全体として１２個の突出部１２を形成し、その先端には、夫々直角の凸部１１が形成されている。
【００３３】
従って、ブロック状消しゴム１０全体を使用して微細な文字等を消す場合には、ブロック状消しゴム１０を指で把持した状態で上記複数の突部１１を使用して消すことができる。
【００３４】
また、図２に示すように、本実施の形態に係るブロック状消しゴム１０にあっては、基部１４を形成する台形状側面部１７、１７の底辺部２２が互いに交差した状態で外方に突出して配置されることから、上記底辺部２２を使って大きな図形等を消すこともできる。
【００３５】
さらに、上記ブロック状消しゴム１０を個別の消しゴムブロック体１３に分解した場合には、図３に示す個別の消しゴムブロック体１３の各凸部１６、１６の先端部２３、２３を使用して微細な文字を消すことができると共に、図４に示す基部１４の上記底辺部２２を使用して大きな図形等を消すこともできる。
なお、本実施の形態にあっては、６個の消しゴムブロック体１３を使用して一体のブロック状消しゴム１０を形成する場合を例に説明したが、上記実施の形態に限定されず、構成する消しゴムブロック体１３の数は６個以上でもよい。
また、消しゴムブロック体１３の具体的形状については本実施の形態に限定されない。
【産業上の利用可能性】
【００３６】
本考案は広くブロック状消しゴムに適用することができる。
【符号の説明】
【００３７】
１０  ブロック状消しゴム
１１  凸部
１２  突出部
１３  消しゴムブロック体
１４  基部
１５  中央部
１６  凸部
１７  台形状底面部
１８  内側斜面部
１９  斜面部
１９ａ  内方斜面部
１９ｂ  外方斜面部
２０  底辺部
２１  上辺部
２２  底辺部
２３  孔部
Ｌ      基部の幅寸法
Ｌ１    基部の長さ寸法
Ｌ２    台形状側面部の幅寸法
Ｌ３    内側斜面部の高さ寸法
Ａ      消しゴムブロック体を組み合わせた場合の、互いに隣接する中央部の
夫々の側方斜面部の間の空隙
Ｂ      消しゴムブロック体を組み合わせた場合の、互いに隣接する中央部の
夫々の側方斜面部の間の空隙
Ｃ      消しゴムブロック体と消しゴムブロック体の間の空隙  
Ｄ      消しゴムブロック体と消しゴムブロック体の間の空隙
Ｅ      一の消しゴムブロック体の中央部の内方斜面部と凸部との間の空隙
【手続補正書】
【提出日】平成23年12月5日(2011.12.5)
【手続補正１】
【補正対象書類名】実用新案登録請求の範囲
【補正対象項目名】全文
【補正方法】変更
【補正の内容】
【実用新案登録請求の範囲】
【請求項１】
複数の消しゴムブロック体を組み合わせて構成するブロック状消しゴムであって、
上記消しゴムブロック体は、略細長六角形状の底部を有する基部と、上記基部に形成された略正四角錐状の中央部と、上記中央部の両側に突設された三角錐状の凸部とを備え、
上記基部は、互いに直角をなす２つの台形状底面部を有し、上記中央部の斜面部と上記凸部の内側斜面部との間は直角であると共に上記基部の底面部と上記中央部の斜面部との間は直角に形成され、
上記基部の幅寸法は上記基部の長さ寸法の半分であって、上記凸部の内側斜面部の長さ寸法は上記基部の上記台形状底面部の幅寸法と同一に形成されていることを特徴とするブロック状消しゴム。  
【請求項２】
上記凸部の内側斜面部は正三角形に形成されていることを特徴とする請求項１記載のブロック状消しゴム。
【請求項３】
上記中央部の底辺部は上記中央部の背面側において隣接する上記基部を構成する台形状側底面部の上辺部により形成されていることを特徴とする請求項２記載のブロック状消しゴム。
【請求項４】
上記基部の台形状底面部の上辺部の長さ寸法は底辺部の長さ寸法の１／２に形成されていることを特徴とする請求項３記載のブロック状消しゴム。
【請求項５】
上記中央部の斜面部は、上記斜面部と上記凸部の内側斜面部との間で直角を形成すると共に、上記斜面部と上記台形状底面部との間で直角を形成するように設けられていることを特徴とする請求項４記載のブロック状消しゴム。
【請求項６】
上記中央部の頂部は切り欠かれていることを特徴とする請求項５記載のブロック状消しゴム。
【手続補正２】
【補正対象書類名】明細書
【補正対象項目名】全文
【補正方法】変更
【補正の内容】
【考案の詳細な説明】
【技術分野】
【０００１】
本考案は、消しゴムに係り、特に、ブロック状に形成された消しゴムに関する。
【背景技術】
【０００２】
従来より、複数の消しゴムブロック体を組み合わせて所定形状のブロック状消しゴムを構成する技術が提案されていた（特許文献１）。
このようなブロック状消しゴムは、単一の突起を有すると共に、上記突起が係合しうる凹部を有する球状の消しゴムブロック体を複数連設することにより、所定形状のブロック状消しゴムを構成することができる。
【０００３】
このような従来のブロック状消しゴムは、使用者である児童等が各ブロック体を組み合わせて消しゴムブロック体を構成することができる、という玩具的要素があり、組み立てる過程及び組み立てたブロック状消しゴムを使用する際に趣向に富む、という特徴がある。
【考案の開示】
【考案が解決しようとする課題】
【０００４】
しかしながら、このような従来のブロック状消しゴムにあっては、消しゴムブロック体を複数連設した場合には球が複数連設された形状となり、全体として消しゴムとして使用する場合に非常に使用しにくい、という不具合があった。
【０００５】
また、夫々の消しゴムブロック体を取り外し、個別に消しゴムとして使用する場合にあっては、細かい文字等を消去する場合には上記突起を使用するが、この突起を使用し続けた場合には、突起が摩耗して係合部として使用することができなくなり、消しゴムブロック体を形成することが不可能になる場合がある、という不具合があった。
【０００６】
また、全体としての消しゴムブロック体を形成する場合にも、一の消しゴムブロック体の突起を他の消しゴムブロック体の凹部に係合させるのみでよく、組み立ての際の趣向も大きなものではなかった。
【特許文献１】特開２００６−２６４１４１号
【０００７】
本考案はこのような従来からの不具合を解決するためのものであって、その課題は、消しゴムブロック体全体として使用した場合であっても、また、個別の消しゴムブロック体として使用した場合であっても、細かい文字及び大きな図形等を消すことができると共に、使用により突起部が摩耗した場合であっても、なお、消しゴムブロック体を構成することができ、長時間に亘り消しゴムブロック体としての使用が可能となり、さらに、ブロック状消しゴムを構成する際に工夫が必要なより趣向に富むブロック状消しゴムを提供する
ことにある。
【課題を解決するための手段】
【０００８】
上記課題達成のため、請求項１記載の考案にあっては、複数の消しゴムブロック体を組み合わせて構成するブロック状消しゴムであって、上記消しゴムブロック体は、略細長六角形状の底部を有する基部と、上記基部に形成された略正四角錐状の中央部と、上記中央部の両側に突設された三角錐状の凸部とを備え、上記基部は、互いに直角をなす２つの台形状底面部を有し、上記中央部の斜面部と上記凸部の内側斜面部との間は直角であると共に上記基部の底面部と上記中央部の斜面部との間は直角に形成され、上記基部の幅寸法は上記基部の長さ寸法の半分であって、上記凸部の内側斜面部の長さ寸法は上記基部の上記台形状底面部の幅寸法と同一に形成されていることを特徴とする。
【０００９】
従って、請求項１記載の考案にあっては、一の消しゴムブロック体の中央部の一方の斜面部と一方の凸部の内側斜面部との間の空隙部に他の消しゴムブロック体の中央部及び基部を挿入配置し、また、上記中央部の他方の斜面部と他方の凸部の内側斜面部との間に、さらに他の消しゴムブロック体の中央部及び基部を挿入配置することにより、消しゴムブロック体を連設させていき、ブロック状消しゴムを形成することができる。
【００１０】
請求項２記載の考案にあっては、上記凸部の内側斜面部は正三角形に形成されていることを特徴とする。従って、請求項３記載の考案にあっては、一の消しゴムブロック体を他の消しゴムブロック体に接合させた場合には、上記凸部は上記基部上において側方三角形状に配置される。
【００１１】
請求項３記載の考案にあっては、上記中央部の底辺部は上記中央部の背面側において隣接する上記基部を構成する台形状側底面部の上辺部により形成されていることを特徴とする。
【００１２】
請求項４記載の考案にあっては、上記基部の台形状底面部の上辺部の長さ寸法は底辺部の長さ寸法の１／２に形成されていることを特徴とする。
【００１３】
請求項５記載の考案にあっては、上記中央部の斜面部は、上記斜面部と上記凸部の内側斜面部との間で直角を形成すると共に、上記斜面部と上記台形状底面部との間で直角を形成するように設けられていることを特徴とする。
【００１４】
請求項６記載の考案にあっては、上記中央部の頂部は切り欠かれていることを特徴とする。
【考案の効果】
【００１５】
請求項１〜６記載の考案にあっては、上記のように、一の消しゴムブロック体の中央部の一方の斜面部と一方の凸部の内側斜面部との間の空隙部に他の消しゴムブロック体の中央部及び基部を挿入配置し、また、上記中央部の他方の斜面部と他方の凸部の内側斜面部との間に、さらに他の消しゴムブロック体の中央部及び基部を挿入配置することにより、消しゴムブロック体を連設させていき、ブロック状消しゴムを形成することができる。
【００１６】
その結果、本考案にあっては、６個の消しゴムブロック体を互いに組み合わせることにより１２の凸部を有し、平面ひし形状の突出部を有するブロック状消しゴムを組み立て形成することができる。
従って、本考案にあっては、消しゴムブロック体全体として使用した場合には、上記凸部を利用して細かい文字を消すことができると共に、大きな文字等を消すこともできる。
【００１７】
また、消しゴムブロック体として使用した場合には、上記凸部を利用することにより細かい文字を消すことができると共に、基部を利用して大きな文字を消すこともできる。
【００１８】
さらに、従来とは異なり、凸部を利用して係合させるようには構成されていないことから、使用により突起部が摩耗した場合であっても、なお、消しゴムブロック体を構成することができ、長時間に亘り消しゴムブロック体としての使用が可能となり、さらに、ブロック状消しゴムを構成する際に工夫が必要なより趣向に富むブロック状消しゴムを提供することができる。
【図面の簡単な説明】
【００１９】
【図１】本考案に係るブロック状消しゴムの一実施の形態を示す斜視図である。
【図２】同様に本考案に係るブロック状消しゴムの一実施の形態を示す斜視図である。
【図３】本考案に係るブロック状消しゴムに使用される消しゴムブロック体の一実施の形態を示す斜視図である。
【図４】本考案に係るブロック状消しゴムに使用される消しゴムブロック体の一実施の形態を示す背面図である。
【図５】本考案に係るブロック状消しゴムに使用される消しゴムブロック体の一実施の形態を示す長さ方向側面図である。
【図６】本考案に係るブロック状消しゴムに使用される消しゴムブロック体の一実施の形態を示す背面斜視図である。
【図７】本考案に係るブロック状消しゴムに使用される消しゴムブロック体の一実施の形態を示す平面図である。
【図８】本考案に係るブロック状消しゴムに使用される消しゴムブロック体を使用してブロック状消しゴムを形成する場合を示し、２個の消しゴムブロック体を接合させた場合を示す斜視図である。
【図９】本考案に係るブロック状消しゴムに使用される消しゴムブロック体を使用してブロック状消しゴムを形成する場合を示し、４個の消しゴムブロック体を接合させた場合を示す斜視図である。
【図１０】本考案に係るブロック状消しゴムに使用される消しゴムブロック体を使用してブロック状消しゴムを形成する場合を示し、５個の消しゴムブロック体を接合させた場合を示す斜視図である。
【考案を実施するための最良の形態】
【００２０】
以下、添付図面に示す実施の形態に基づき、本考案を詳細に説明する。
図１に示すように、本実施の形態に係るブロック状消しゴムを詳細に説明する。
【００２１】
本実施の形態に係るブロック状消しゴム１０は、図１及び図２に示すように、１２個の凸部１１を有すると共に平面ひし形状の突出部１２を有し、全体略星型に形成されている。
【００２２】
本実施の形態に係るブロック状消しゴム１０は、６個の消しゴムブロック体１３により構成されている。
上記各消しゴムブロック体１３は、図３〜図７に示すように、側面略細長六角形状の基部１４と、上記基部１４の幅方向反対側において長さ方向中央に形成された略正四角錐状の中央部１５と、上記中央部１５の長さ方向両側に形成され、上記中央部と同一側に突設配置された三角錐状の凸部１６、１６とを備えている。
【００２３】
図４に示すように、上記基部１４は互いに直角をなす２つの細長台形状底面部１７、１７を有し、図３に示すように、上記中央部１５の斜面部１９と凸部１６の内側斜面部１８との間は直角であると共に上記基部１４の台形状底面部１７と上記中央部１５の斜面部１９との間は直角に形成されている。
【００２４】
図４に示すように、消しゴムブロック体１３の基部１４の幅寸法Ｌは長さ寸法Ｌ１の半分であって、上記凸部１６の内側斜面部１８の長さ寸法Ｌ３は上記基部１４の上記台形状底面部１７の幅寸法Ｌ２と同一に形成されている。  
【００２５】
上記凸部１６の内側斜面部１８は正三角形に形成されている。また、上記中央部１５の底辺部２０は幅方向反対側において隣接する上記基部１４を構成する台形状底面部１７の上辺部２１により形成されている。
【００２６】
上記基部１４の台形状底面部１７の上辺部２１は底辺部２２の１／２に形成されている。上記中央部１５の斜面部１９、１９、１９、１９は上記凸部１６、１６の内側斜面部１８、１８及び上記台形状底面部１７、１７との間で直角を形成するように設けられている。また、上記中央部１５の頂部は切り欠かれて孔部２３が形成されている。
【００２７】
以下、本実施の形態に係るブロック状消しゴム１０の組み立て方について説明する。
図３及び図８に示すように、まず、一の消しゴムブロック体１３ａの中央部１５の内方斜面部１９ａと凸部１６との間の空隙Ｅへ、他の消しゴムブロック体１３ｂの中央部１５の側方斜面部１９ｂと基部１４の一方の台形状底面部１７とを、互いに直角に交差するように挿入させ、上記内方斜面部１９ａと上記外方斜面部１９ｂとが当接すると共に上記凸部１６の内側斜面部１８に基部１４の台形状底面部１７が当接するように配置する。
【００２８】
次に、図８及び図９に示すように、交差状に配置された消しゴムブロック体１３ａ、１３ｂの、２つの互いに隣接する中央部１５、１５の、夫々の側方斜面部１９ｂ、１９ｂの間の空隙Ａ、Ｂに、他の消しゴムブロック体１３ｃ及び１３ｄを、一の消しゴムブロック体１３ａに対して交差するように配置する。
【００２９】
次に、図９に示す消しゴムブロック体１３ｃ及び消しゴムブロック体１３ｄの間の空隙Ｃに、図１０に示すように、消しゴムブロック体１３ｂに対して平行に他の消しゴムブロック体１３ｅを同様の要領で配置する。
【００３０】
最後に、図１０に示す消しゴムブロック体１３ｃ及び消しゴムブロック体１３ｄの間に形成される空隙Ｄ内に、消しゴムブロック体１３Ｄの凸部１６ｄ及び消しゴムブロック体１３Ｃの凸部１６Ｃをやや撓ませつつ、最後の６個目の消しゴムブロック体１３を挿入配置することにより、図１及び図２に示すブロック状消しゴム１０が完成する。
【００３１】
その結果、使用者は各消しゴムブロック体１３を使用してブロック状消しゴム１０を作成する興趣を楽しむことができる。
【００３２】
このようにして完成したブロック状消しゴム１０は、全体として６個の消しゴムブロック体１３により構成され、各消しゴムブロック体１３の有する２個の凸部１６が、全体として１２個の突出部１２を形成し、その先端には、夫々直角の凸部１１が形成されている。
【００３３】
従って、ブロック状消しゴム１０全体を使用して微細な文字等を消す場合には、ブロック状消しゴム１０を指で把持した状態で上記複数の突部１１を使用して消すことができる。
【００３４】
また、図２に示すように、本実施の形態に係るブロック状消しゴム１０にあっては、基部１４を形成する台形状底面部１７、１７の底辺部２２が互いに交差した状態で外方に突出して配置されることから、上記底辺部２２を使って大きな図形等を消すこともできる。
【００３５】
さらに、上記ブロック状消しゴム１０を個別の消しゴムブロック体１３に分解した場合には、図３に示す個別の消しゴムブロック体１３の各凸部１６、１６の先端部２３、２３を使用して微細な文字を消すことができると共に、図４に示す基部１４の上記底辺部２２を使用して大きな図形等を消すこともできる。
なお、本実施の形態にあっては、６個の消しゴムブロック体１３を使用して一体のブロック状消しゴム１０を形成する場合を例に説明したが、上記実施の形態に限定されず、構成する消しゴムブロック体１３の数は６個以上でもよい。
また、消しゴムブロック体１３の具体的形状については本実施の形態に限定されない。
【産業上の利用可能性】
【００３６】
本考案は広くブロック状消しゴムに適用することができる。
【符号の説明】
【００３７】
１０  ブロック状消しゴム
１１  凸部
１２  突出部
１３  消しゴムブロック体
１４  基部
１５  中央部
１６  凸部
１７  台形状底面部
１８  内側斜面部
１９  斜面部
１９ａ  内方斜面部
１９ｂ  外方斜面部
２０  底辺部
２１  上辺部
２２  底辺部
２３  孔部
Ｌ      基部の幅寸法
Ｌ１    基部の長さ寸法
Ｌ２    台形状底面部の幅寸法
Ｌ３    内側斜面部の長さ寸法
Ａ      消しゴムブロック体を組み合わせた場合の、互いに隣接する中央部の
夫々の側方斜面部の間の空隙
Ｂ      消しゴムブロック体を組み合わせた場合の、互いに隣接する中央部の
夫々の側方斜面部の間の空隙
Ｃ      消しゴムブロック体と消しゴムブロック体の間の空隙  
Ｄ      消しゴムブロック体と消しゴムブロック体の間の空隙
Ｅ      一の消しゴムブロック体の中央部の内方斜面部と凸部との間の空隙